(57)【要約】再利用可能かつカスタマイズ可能な靴のインソールは、第１ユーザが加えた足圧に応じて第１土踏まず支持構造及び第１中節骨支持構造を取り、足圧が無くなったときに第１土踏まず支持構造及び第１中節骨支持構造を維持し、他のユーザが加えたそれぞれの足圧に応じて新たな土踏まず支持構造及び新たな中節骨支持構造を取るように構成された応従性を有する支持材料を有する。【選択図】    図１７
2020501867.tif 000002
【特許請求の範囲】
【請求項１】
カスタマイズされた再利用可能な靴のインソールであって、
インソールベース部と、
前記インソールベース部によって支持された、応従性を有する土踏まず支持材料とを備え、
前記土踏まず支持材料は、
前記土踏まず支持材料上に第１ユーザが加えた足圧に応じて第１の土踏まず支持構造を取り、かつ、前記第１の土踏まず支持構造に対して第２ユーザの足圧が加えられるまで前記第１の土踏まず支持構造を維持するように構成され、
前記土踏まず支持構造が、前記第１ユーザ及び前記第２ユーザのそれぞれの踵骨と少なくとも１つの中足骨頭との間の土踏まずの形状に対応することを特徴とするインソール。
【請求項２】
前記土踏まず支持材料が、密封された樹脂製のエンケースメントの内部に配置されていることを特徴とする請求項１に記載のインソール。
【請求項３】
前記土踏まず支持材料が、１５ｇ〜２５ｇの質量を有することを特徴とする請求項２に記載のインソール。
【請求項４】
前記土踏まず支持材料が、応従性を有するクレイを含むことを特徴とする請求項２に記載のインソール。
【請求項５】
前記土踏まず支持材料が、ポリジメチルシロキサンを含むことを特徴とする請求項４に記載のインソール。
【請求項６】
前記樹脂製のエンケースメントが、ポリ塩化ビニル、ポリプロピレン、及びポリエチレンからなる群から選択されたポリマーから構成されていることを特徴とする請求項２に記載のインソール。
【請求項７】
前記エンケースメントを覆うパッド層を更に含むことを特徴とする請求項２に記載のインソール。
【請求項８】
カスタマイズされた再利用可能な靴のインソールであって、
インソールベース部と、
前記インソールベース部によって支持された応従性を有する中足骨支持材料とを備え、
前記中足骨支持材料は、該材料上に第１ユーザが加えた足圧に応じて第１の中足骨支持構造を取るように、かつ、該材料に対して第２ユーザの足圧が加えられるまで、前記第１の中足骨支持構造を維持するように構成されていることを特徴とするインソール。
【請求項９】
カスタマイズされた再利用可能な靴のインソールを製造する方法であって、
インソールベース部を設けるステップと、
前記インソールベース部によって応従性を有する土踏まず支持材料を支持させるステップであって、前記土踏まず支持材料が、該材料上に第１ユーザが加えた足圧に応じて第１のカスタマイズされた土踏まず支持構造を取り、かつ、該材料に対して第２ユーザの足圧が加えられるまで前記第１のカスタマイズされた土踏まず支持構造を維持することができるように該材料を支持させる、該ステップとを含み、
前記第１のカスタマイズされた土踏まず支持構造が、踵骨と、少なくとも１つの中足骨頭とによって部分的に変形されることを特徴とする方法。
【請求項１０】
前記土踏まず支持材料が、密封された樹脂製のエンケースメントの内部に配置されていることを特徴とする請求項９に記載の方法。
【請求項１１】
前記土踏まず支持材料が、３０ｇ〜４０ｇの質量を有することを特徴とする請求項９に記載の方法。
【請求項１２】
前記土踏まず支持材料が、応従性を有するパテを含むことを特徴とする請求項９に記載の方法。
【請求項１３】
前記土踏まず支持材料が、ポリジメチルシロキサンを含むことを特徴とする請求項１２に記載の方法。
【請求項１４】
前記樹脂製のエンケースメントが、ポリ塩化ビニル、ポリプロピレン、及びポリエチレンからなる群から選択されたポリマーから構成されていることを特徴とする請求項１０に記載の方法。
【請求項１５】
前記インソールベース部によって応従性を有する中足骨支持材料を支持させるステップであって、前記中足骨支持材料が、該材料上に前記第１ユーザが加えた前記足圧に応じて第１のカスタマイズされた中足骨支持構造を取り、かつ、該材料に対して前記第２ユーザの前記足圧が加えられるまで前記第１のカスタマイズされた前記中足骨支持構造を維持することができるように該材料を支持させる、該ステップを更に含むことを特徴とする請求項１１に記載の方法。
【請求項１６】
前記樹脂製のエンケースメントを覆うパッド層を更に含むことを特徴とする請求項１０に記載の方法。
【請求項１７】
前記パッド層が、低反発フォームを含むことを特徴とする請求項１６に記載の方法。
【発明の詳細な説明】
【技術分野】
【０００１】
本発明は、靴のインソールに関する。具体的には、それぞれ異なる支持が必要な多数のユーザに適合可能な、カスタマイズされた土踏まず及び中足骨の支持を提供するカスタマイズされたインソール（custom insole）に関する。
【背景技術】
【０００２】
既知のように、様々なレベル及び種類の土踏まず支持物を提供する様々なインソールがある。あるインソールでは、ユニバーサルな土踏まず支持物が提供され、別のインソールでは、それぞれのユーザに対して調整されるカスタマイズされた支持物が提供される。カスタマイズされたインソールには、一般的に、それぞれのユーザの足の生体構造（foot anatomy）に適合するように、熱処理、コンピュータレンダリング、発泡成形、又はそれらの組み合わせを活用して形成された、剛性を有する単回使用の材料が用いられている。
【０００３】
一方、あるインソールには、負荷を加えずにカスタマイズされた支持物の形状を維持するためには十分な剛性が不足したジェル又は液体のような比較的低粘度の材料が用いられている。
【発明の概要】
【課題を解決するための手段】
【０００４】
本発明の教示によると、カスタマイズされた再利用可能な靴のインソールであって、インソールベース部と、インソールベース部によって支持された、応従性（malleable）を有する土踏まず支持材料とを備え、土踏まず支持材料は、土踏まず支持材料上に第１ユーザが加えた足圧に応じて第１の土踏まず支持構造（first arch-support structure）を取り、かつ、第１の土踏まず支持構造に対して第２ユーザの足圧が加えられるまで第１の土踏まず支持構造を維持するように構成され、土踏まず支持構造が、第１ユーザ及び第２ユーザのそれぞれの踵骨と少なくとも１つの中足骨頭との間の土踏まずの形状に対応する、該インソールが提供されている。
【０００５】
本発明の更なる特徴によると、土踏まず支持材料は、密封された樹脂製のエンケースメントの内部に配置されている。
【０００６】
本発明の更なる特徴によると、土踏まず支持材料は、応従性を有するクレイを含む。
【０００７】
本発明の更なる特徴によると、土踏まず支持材料は、ポリジメチルシロキサンを含む。
【０００８】
本発明の更なる特徴によると、樹脂製のエンケースメントが、ポリ塩化ビニル、ポリプロピレン、及びポリエチレンからなる群から選択されたポリマーから構成されている。
【０００９】
本発明の教示によると、カスタマイズされた再利用可能な靴のインソールであって、インソールベース部と、インソールベース部によって支持された応従性を有する中足骨支持材料とを備え、中足骨支持材料は、該材料上に第１ユーザが加えた足圧に応じて第１の中足骨支持構造を取るように、かつ、該材料に対して第２ユーザの足圧が加えられるまで、第１の中足骨支持構造を維持するように構成されている、該インソールもまた提供されている。
【００１０】
本発明の教示によると、カスタマイズされた再利用可能な靴のインソールを製造する方法であって、インソールベース部を設けるステップと、インソールベース部によって応従性を有する土踏まず支持材料を支持させるステップであって、土踏まず支持材料が、該材料上に第１ユーザが加えた足圧に応じて第１のカスタマイズされた土踏まず支持構造を取り、かつ、該材料に対して第２ユーザの足圧が加えられるまで第１のカスタマイズされた土踏まず支持構造を維持することができるように該材料を支持させる、該ステップとを含み、第１のカスタマイズされた土踏まず支持構造が、踵骨と、少なくとも１つの中足骨頭とによって部分的に変形される、該方法もまた提供されている。
【００１１】
本発明の更なる特徴によると、土踏まず支持材料は、密封された樹脂製のエンケースメントの内部に配置されている。
【００１２】
本発明の更なる特徴によると、土踏まず支持材料が、３０ｇ〜４０ｇの質量を有する。
【００１３】
本発明の更なる特徴によると、土踏まず支持材料が、応従性を有するパテを含む。
【００１４】
本発明の更なる特徴によると、土踏まず支持材料は、ポリジメチルシロキサンを含む。
【００１５】
本発明の更なる特徴によると、樹脂製のエンケースメントが、ポリ塩化ビニル、ポリプロピレン、及びポリエチレンからなる群から選択されたポリマーから構成されている。
【００１６】
本発明の更なる特徴によると、インソールベース部によって応従性を有する中足骨支持材料を支持させるステップであって、中足骨支持材料が、該材料上に第１ユーザが加えた足圧に応じて第１のカスタマイズされた中足骨支持構造を取り、かつ、該材料に対して第２ユーザの足圧が加えられるまで第１のカスタマイズされた中足骨支持構造を維持することができるように該材料を支持させる、該ステップもまた提供されている。
【００１７】
本発明の更なる特徴によると、樹脂製のエンケースメントを覆うパッド層もまた提供されている。
【００１８】
本発明の更なる特徴によると、パッド層が、低反発フォーム（slow rebound foam）を含む。
【図面の簡単な説明】
【００１９】
本発明とみなされる対象は、本明細書の結びの部分において具体的に指示され、明確に主張されている。機能、それらの相互作用、動作、及び長所は、添付の図面を考慮して、以下の詳細な説明を参照して最もよく理解され得る。
【００２０】
【図１】第１ユーザの足底の圧力区域の概略図
【図２】一実施形態による、エンケースメント内に配置された応従性を有する支持材料を有する再利用可能なカスタマイズされたインソールの概略上面図
【図３】一実施形態による、図２に示されたインソールのＡ−Ａ切断面に沿う概略断面図
【図４】一実施形態による、図１の圧力区域を重ねられた図３の再利用可能なカスタマイズされたインソールの概略上面図
【図５】一実施形態による、図４のインソールを踏むユーザの概略側面図
【図６】一実施形態による、図５のインソールパテをユーザがカスタマイズした後の図５のインソールの概略側面図
【図７】一実施形態による、足圧によって支持材料に対して加えられた高圧力の領域に基づいて画定された支持材料の縁を示す図５の応従性を有する支持材料をユーザが加圧した後の図６のインソールの概略上面図
【図８】一実施形態による、重量分布区域を示された第２ユーザの足底の概略図
【図９】一実施形態による、第１ユーザの圧力区域に基づいて画定された支持材料の分布を有するインソール上に重ねられた、第２ユーザの重ねられた圧力区域の概略上面図
【図１０】一実施形態による、図９のカスタマイズされたインソール上を踏む第２ユーザの概略側面図
【図１１】一実施形態による、図１０の第２ユーザによってインソールパテがカスタマイズされた後の図９のインソールの概略側面図
【図１２】新たな支持材料の境界が第２ユーザの高圧力の領域に基づいて画定された状態の図１１の第２ユーザによってインソールパテが加圧された後のインソールの概略上面図
【図１３】一実施形態による、足圧を加えられる前の再利用可能な土踏まず支持構造及び中足骨支持構造の両方を有するカスタマイズ可能なインソールの変形実施形態の概略側面図
【図１４】一実施形態による、ユーザによって図１３のインソールに足圧が加えられた後のカスタマイズされた状態の図１３のインソールの概略側面図
【図１５】一実施形態による、ハイヒールの靴の中に配置された足の中足骨の領域を固定するカスタマイズされた状態のカスタマイズ可能なインソールの変形実施形態の概略側面図
【図１６】一実施形態による、カスタマイズされていない状態の図１３及び図１４のカスタマイズ可能なインソールの概略斜視図
【図１７】一実施形態による、カスタマイズされた状態の図１３及び図１４のカスタマイズ可能なインソールの概略斜視図
【００２１】
図面を明瞭化するために、図面に示された要素は必ずしも縮尺通りに描かれておらず、参照番号は同一又は同様な要素を示すために複数の図面において繰り返されてもよく、周知の方法、手順、及び構成要素は明瞭化のために省略されていることが理解されるだろう。
【発明を実施するための形態】
【００２２】
本発明は、個別の生体構造上の要求を有する複数のユーザのそれぞれに適合可能なカスタマイズされたインソール（custom insole）に関する。
【００２３】
以下の用語は、本明細書の全体にわたって使用されるだろう。
【００２４】
「可動支持材料（Workable support material）」、「支持材料（support material）」、「パテ（putty）」の全ては、圧力が加えられたときに形成される形状を、圧力が取り除かれたときに元に戻ることなく維持できる高粘度の非弾性支持材料を指す。可動支持材料は、硬化しない、すなわち応従性の低下を起こさないものである。これにより、第２ユーザの足に関連する異なる分布の圧力を加えられたときに、更なる形状を有利に取ることができる。応従性を有するクレイをベースとした、若しくはポリジメチルシロキサンをベースとした混合物、又は同様な応従性、非弾性、及び粘度を有する他の可動支持材料が、本発明の範囲に含まれる。
【００２５】
ある実施形態では、可動支持材料は、ポリアクリルアミド、ポリエチレングリコール（ＰＥＧ）として実施されている。あるいは、ある他の実施形態では、このような適切な材料の組み合わせが用いられている。
【００２６】
以下の説明は、靴のサイズに応じた支持材料の粘度を非限定に複数例示したものである。
【００２７】
男性用のスケールについて、例えば、米国方式のサイズ１０の靴（欧州方式のサイズにおける４３）の支持材料は、約２０％の誤差範囲を含む約１、０００、０００ポアズ（100,000,000 centipoise）の粘度を有する。
【００２８】
女性用のスケールについて、例えば、支持材料は、約２０％の誤差範囲を含む約７５０、０００ポアズ（75,000,000 centipoise）の粘度を有する。
【００２９】
子供用のスケールについて、例えば、米国方式のサイズ８（欧州方式のサイズにおける２５）の支持材料は、約１０％の誤差範囲を含む約３００、０００ポアズ（30,000,000 centipoise）の粘度を有する。
【００３０】
米国方式のサイズ２（欧州方式のサイズにおける３４）を有する子供用の靴の他の例は、例えば、約２０％の誤差範囲を含む約５００、０００ポアズ（50,000,000 centipoise）の粘度を有する。
【００３１】
上述した機能を提供する他の粘度が本発明の範囲内に含まれていることを理解されたい。
【００３２】
上述したように、支持材料の粘度は、次のユーザが加えた足圧に応じて足底の形状に関連する形状にできるような十分な低さ、且つ足圧がインソールから取り除かれたときにカスタマイズされた支持構造のそれぞれを維持するような十分な高さである。
【００３３】
パテは、負荷が加えられた短期間の間において伸縮性を示し、形状を形成する圧力が加えられた比較的長期間の間において示さず、負荷が取り除かれたときもまた示さないことを理解されたい。
【００３４】
「踵領域」、「踵」、又は「踵の骨（heel bone）」の全ては、踵骨（calcaneus）によって設けられた圧力区域を指す。
【００３５】
「内部球状領域又は内側球領域」は、第１及び第２中足骨頭、又は第１中足骨頭のみによって設けられた圧力区域を指す。
【００３６】
「外部球状領域又は側部球状領域」は、第４及び第５中足骨頭の組み合わせ、又は第５の中足骨頭によって設けられた圧力領域を指す。
【００３７】
「土踏まず（Arch）」は、踵の骨及び第１中足骨頭の間の自然なインステップの領域を指す。換言すると、内側長手方向土踏まずとも呼ばれている。
【００３８】
「側部長手方向アーチ」は、踵の骨及び第５中足骨頭に架かる領域又は区域である。
【００３９】
範囲を損なうことなく、可動支持材料がパテによって説明されるだろう。
【００４０】
図１は、（ユーザ１Ａが）立っているときに支持体の表面上に与えられる圧力を用いて示された第１ユーザ１Ａの足底の様々な区域の概略図である。図示したように、踵領域６Ａ又は踵の骨領域６Ａが最大の圧力を働かせ、内部球状領域３Ａ、外部球状領域４Ａ、側部長手方向アーチ状領域５Ａ、及び内側長手方向土踏まず２Ａ又はインステップ２Ａが続く。長手方向アーチ状領域以外の領域に配置されている５Ａに示された領域は、長手方向アーチ状領域と同様に支持体表面上に概ね同程度の圧力を働かせる。
【００４１】
図２は、基準となる再利用可能なカスタマイズされたインソール１０がカスタマイズされる前の概略上面図である。また、図３は、基準となる再利用可能なカスタマイズされたインソールがカスタマイズされる前の概略側面断面図である。図示したように、一実施形態によると、インソール１０はエチルビニルアセテート（E.V.A）から形成されたインソールベース部１１を有する。ある実施形態では、インソールベース部１１は、踵の形状１６に従って変形され、変形中に最大の足圧がパテに対して加えることができるように土踏まず支持体を欠かれている。ポリウレタン、熱可塑性樹脂のゴム、ニトロールポリ塩化ビニル（nitrol polyvinyl chloride）、ラテックスゴム、又はそれらの組み合わせであるインソールベース部１１が、本発明の範囲内に含まれることを理解されたい。
【００４２】
更に示すように、インソール１０は、土踏まず領域（図１の２Ａ）の下方のインソールベース部１１上に配置され、かつ、インソールベース部１１の内側傾斜壁１４の外形に従う樹脂製のエンケースメント１３又は密封バッグ１３内に格納されたパテ１２を含む。樹脂製のエンケースメント１３（密封バッグ１３）は、ユーザの重さを加えられたときにカスタマイズされた形状に広がるように、パテ１２を受け入れるような十分な容積を有する。エンケースメント１３の容積はまた、パテ１２が土踏まずから離れて広がること、及びエンケースメント１３の縁部付近の不快な突起を形成することを防止するように、最初の加圧の前に、高圧力区域６Ａ及び３Ａをわずかに重複されるようなサイズにされている。更に、エンケースメント１３は、第２ユーザがインソール１０上を踏むときにパテ１２を土踏まずに戻すことができない領域へパテが広がることを防止する。パテ１２を手で所望に押圧するオプションが常に存在することを理解されたい。
【００４３】
樹脂製のエンケースメント１３は、柔軟性を有し、更に強度を有する様々な樹脂製の材料を用いて実施可能であり、ポリ塩化ビニル、ポリプロピレン、ポリエチレン、又はこのような機能を実現する様々な他の材料等であるとよい。更に、インソールベース部及び上部パッド材料によって実現されるパテのエンケースメントも、本発明の範囲内に含まれる。
【００４４】
パテ１２は、踵領域６Ａ及び内側球状領域３Ａからの比較的高い圧力の加圧に応じて広がるような十分な応従性を有するが、圧力が取り除かれたときには新規の形状を維持するような十分な粘度を有する。
【００４５】
ある実施形態では、パテの配合には、容積又は質量のいずれかの構成として、７％のクロロプレン、１３％の鉱油、８％のコールドファクチス（cold factice）、及び７１．５％のカルシウムパウダーが含まれている。また、他の実施形態ではプラスティシン（登録商標）が用いられている。
【００４６】
ある例示では、パテ１２は、土踏まず支持構造が高さ１４ｍｍを有し、約７．０ｃｍ×４．５ｃｍのインソール領域にまたがることができるように、男性用米国方式サイズ１０の靴向けに約３０〜４０ｇの範囲の質量を有する。ある他の実施形態では、１５〜２５ｇのパテ１２が、土踏まず支持構造１２Ａを形成するために用いられている。ある非限定的な実施形態では、４〜１０ｇの範囲の質量のパテ１２から、中足骨支持構造１３Ａが形成されている。
【００４７】
支持材料の質量、その分布、及び付属された支持材料のエンケースメントのサイズは、人間工学のパラメータ（ergonomic parameter）と相関しており、かつ、インソール１０への後続のユーザのそれぞれに固有な足圧の加圧に応じて土踏まず支持構造及び／又は中足骨支持構造が適切な形状を取れるように選択されていることを理解されたい。
【００４８】
図３は、一実施形態による、図２において示されたインソール１０のＡ−Ａ断面に沿う概略断面図である。示したように、一実施形態によれば、収容されたパテ１２は、圧力から完全に元に戻るために、１分以上の反発時間を有する低反発フォーム（slow rebound foam）から構成されたパッド層１６に覆われている。低反発フォームの典型的な例示は、とりわけ、粘弾性のポリウレタンフォーム又は改質ＥＶＡである。ある実施形態では、パッド層１６において高反発フォーム及び低反発フォームの組み合わせが用いられていることを理解されたい。
【００４９】
低反発フォームを用いて実施されたパッド層１６は、足を圧迫することなく爪先及び他の低圧力区域に対して更なるカスタマイズを有利に提供する。
【００５０】
その上、低反発フォームは、更に足の通気性、及びパッド層１６をより厚く、より快適に使用することを提供している。柔軟性を有する上面ファブリック（不図示）が、同様に足の形状に従うパッド層１６を覆っている。上面ファブリックの典型的な例示として、コットン、ポリエステル、及びポリプロピレンが挙げられる。
【００５１】
図４は、インソール要素に対する第１ユーザに関連する圧力区域を示す再利用可能なカスタマイズされたインソール１０Ａの概略上面図である。
【００５２】
図示のように、踵領域６Ａ、内部球状領域３Ａ、及びパテ１２は、下向きの圧力がユーザによってパテ１２に加えられたときに、パテ１２の一部がこれらの高圧力領域から低圧力領域である外部球状領域４Ａ、側部長手方向アーチ状領域５Ａに移るように、重複している。残りのパテ１２は、踵領域６Ａ、内側球状領域３Ａ、及び内部足底壁１４によって部分的に画定された足底形状に従って土踏まず支持構造を形成する。
【００５３】
図５は、インソール１０Ａ上を踏むことによってもたらされるユーザの重さを加えられる前のパテの圧縮の概略側面図である。また、図６は、インソール１０Ａ上を踏むことによってもたらされるユーザの重さを加えられた後のパテ１２の圧縮の概略側面図である。図示のように、パテ１２は、第１ユーザ２０Ａに関連する内側長手方向土踏まず１８Ａと並列になったパッド層１６の下で、インソールベース部１１に位置する圧縮される前の状態で配置されている。
【００５４】
図６では、パテ１２は、第１ユーザの土踏まず１８Ａの形状に従った新規の配置へと移っている。パテ１２Ａは、一実施形態によると、矢印２１Ａ、２２Ａによって示されたような踵領域によって加えられた高圧力、及び矢印２３Ａ、２４Ａによって示されたような内側球状領域によって加えられ高圧力によって部分的に変形されている。
【００５５】
硬い樹脂の非存在下において収容されたパテは、快適さを犠牲にすることなくカスタマイズされた土踏まず支持体を有利に提供する。
【００５６】
図７は、ユーザが加圧した後のカスタマイズされたパテの形状の概略上面図である。図示のように、パテの境界は、踵領域６Ａ及び内部球状領域３Ａによって画定されており、一方で、パテ１２Ａが、外部球状領域４Ａ及び側部長手方向アーチ状領域５Ａの内部低圧力境界線を越えて広げられている。
【００５７】
図８は、（第１ユーザと）同様な重量分布区域である、踵領域６Ｂ、内部球状領域３Ｂ、外部球状領域４Ｂ、側部長手方向アーチ状領域５Ｂ、及び内部長手方向土踏まず２Ｂ又はインステップ２Ｂを示す第２ユーザの足底１Ｂの概略図である。図示のように、第２ユーザの足底１Ｂの重量分布区域は、第１ユーザの対応する区域と比べて異なる形状を有する。
【００５８】
図９は、第１ユーザの圧力区域によって画定されたパテの分布を有する予めカスタマイズされたインソールに重ねられた第２ユーザの圧力区域の概略上面図である。図示のように、パテ１２Ａは、踵領域６Ｂ及び内側球状領域３Ｂによって、もはや変形されない。
【００５９】
図１０及び図１１は、第２ユーザの足底の生体構造（sole anatomy）に一致するようなインソール１０Ａの再カスタマイズの概略側面図である。
【００６０】
図１０に示すように、パテ１２Ａは、図６に示すような第１ユーザの土踏まずの形状に従って積みあがっている。第２ユーザの足２０Ｂは、小さなアーチ状の土踏まず１８Ｂを有しており、これにより、レンダリングされた第１インソール１０Ａは、変形の無い状態で第２ユーザには使用不可能である。
【００６１】
図１１に示すように、パテ１２Ｂは、第２ユーザの足２０Ａの土踏まず１８Ｂの形状に従って新規の位置へ移っている。パテ１２Ｂは、第２ユーザの足２０Ｂの比較的平たい土踏まずが、下向きの力２５Ｂを加えてパテ１２Ｂから再カスタマイズされた土踏まず支持構造を形成するように、矢印２１Ｂによって示されたような踵領域によって加えられた高圧力、及び矢印２６Ｂによって示された内側球状領域によって加えられた高圧力によって部分的に変形されている。
【００６２】
この複数ユーザへの適応性は多くの有用性を有する。例えば、満足していない顧客は、店舗が次の購買者に対してインソールを再カスタマイズする能力を有するため、店舗が損失を被ることなく店舗にカスタマイズされたインソールを返却することができる。
【００６３】
低い土踏まずを有するユーザから高い土踏まずを有するユーザへカスタマイズすることは、前述したように、新規のユーザが該ユーザの足底形状に従ってパテを分布させるために該パテを踏むことが可能なように、土踏まずに対向するミッドソール領域（midsole area）内にパテを押し込む必要があることを理解されたい。
【００６４】
図１２は、第２ユーザが加圧した後のカスタマイズされたパテの形状の概略上面図である。図示したように、パテの境界は、第２ユーザの異形の踵領域６Ｂ及び内部球状領域３Ｂによって画定されている一方で、パテ１２Ｂは、外部球状領域４Ｂ及び側部長手方向アーチ状領域５Ｂの内部低圧力境界線を越えた広がりを有する。
【００６５】
図１３は、一実施形態によると、インソールベース部１１及びパッド層１６の間に配置された再利用可能な土踏まず支持提供物１２（土踏まず支持構造）及び中足骨支持提供物１３（中足骨支持構造）の両方を有するカスタマイズされたインソール２０Ａの変形実施形態を示す概略側面図である。
【００６６】
図示のように、パテ１２（土踏まず支持提供物１２）は、土踏まずの下に配置されたエンケースメント（不図示）内においてカスタマイズされる前の状態である。また、パテ１３（中足骨支持提供物１３）は、中足骨の下に配置されたエンケースメント（不図示）内においてカスタマイズされる前の状態である。
【００６７】
図１４は、インソール２０Ａに対して足圧を加えた後のカスタマイズされた状態のインソール２０Ａの概略側面図である。前述したプロセスと同様に、加えられた足圧は、足底および樹脂製のエンケースメント（不図示）の高圧力領域の近くのいずれかの閉じ込められた場所に対して、又はラベル１３Ａによって示されるような特定の足圧を加えるための始点広がり容積（threshold spread capacity）に対して、応従性を有する土踏まず支持材料１２Ａ及び中足骨支持構造１３Ａを広げる。
【００６８】
図示のように、中足骨支持材料１３Ａは、約３０〜４０ｇの土踏まず支持材料を用いて中間踵部（mid-heel）から中間中足骨部（mid-metatarsal）までスパンを空けて、外形を様々な土踏まず形状の幅に有利にできるように実施されている。
【００６９】
足の係合は、ハイヒールの靴においてますます重要となる。ハイヒールの靴では、図１５に示すように、ヒール部の高さに応じて重力が足を靴における前方且つ下方に引っ張る。
【００７０】
図１６は、一実施形態によるカスタマイズされていない状態の図１３のカスタマイズ可能なインソールの概略斜視図である。また、図１７は、一実施形態によるカスタマイズされた状態の図１４のカスタマイズ可能なインソールの概略斜視図である。
【００７１】
図１６に示すように、収容された中足骨支持材料１３は、中足骨の形状に従って様々な外形のオプションを有利に提供するように、中足骨領域の幅全長のスパンをあけた表面領域を有する容積を有する。
【００７２】
収容された中足骨支持材料１３は、収容された土踏まず支持材料１２の上面の上に配置されているが、ある実施形態では、この順序は逆になり、土踏まず支持材料１２が収容された中足骨支持材料１３の上面の上に配置されていることを理解されたい。ある実施形態では、土踏まず支持材料１２及び中足骨支持材料１３の間で粘度が異なることを理解されたい。ある実施形態では、粘度の違いは、高い粘性を有する土踏まず支持材料１２を用いて実施されており、一方で、他の実施形態では、中足骨支持材料１３が高い粘度を有して実施されている。
【００７３】
土踏まず支持材料１２及び中足骨支持材料１３は、実施形態に示された状態の樹脂製のエンケースメントを分割する状態で配置されているが、他の実施形態では、樹脂製のエンケースメントは、分割された小袋を有する単一のユニットとして実施されていることを理解されたい。
【００７４】
図１７に示すように、カスタマイズされた土踏まず支持材料１２Ａは、最適な支持を提供するために、足の内側長手方向土踏まず及び側部長手方向アーチを構成する。同様に、カスタマイズされた土踏まず支持材料１２Ａ及び中足骨支持材料１３Ａは、インソール２０Ａ上の足を係合する外形の縁を構成する。このようなカスタマイズは、従来の土踏まずを支持するインソールのインピーダンスを有さずに、踵が当たってから爪先が離れる所に前進するまで足を機能させることができる。
【００７５】
特定の一実施形態において明確には説明されていない機能及び方法の様々な組み合わせもまた、本発明の範囲に含まれることを理解されたい。
【図１】
2020501867.tif 000003
【図２】
2020501867.tif 000004
【図３】
2020501867.tif 000005
【図４】
2020501867.tif 000006
【図５】
2020501867.tif 000007
【図６】
2020501867.tif 000008
【図７】
2020501867.tif 000009
【図８】
2020501867.tif 000010
【図９】
2020501867.tif 000011
【図１０】
2020501867.tif 000012
【図１１】
2020501867.tif 000013
【図１２】
2020501867.tif 000014
【図１３】
2020501867.tif 000015
【図１４】
2020501867.tif 000016
【図１５】
2020501867.tif 000017
【図１６】
2020501867.tif 000018
【図１７】
2020501867.tif 000019
【国際調査報告】
2020501867.tif 000020
2020501867.tif 000021